(57)【要約】【課題】本発明は、ゴルフグリップエンド内側センターに、凸凹型ネジ受けを設けることにより、着脱式打撃用重りをグリップ側に設置することで、慣性モーメントが大きくなるため、飛距離が飛躍的に伸びるゴルフクラブを提供でき、構造が着脱式のため、このゴルフクラブは公式競技用にも使用出来るための、ゴルフグリップを提供しなお且つ、殆ど全てのゴルフクラブのグリップ交換が出来るゴルフグリップを提供する。【解決手段】ゴルフグリップエンドから10mm〜20mm目安のゴルフグリップキャップが、ネジ式若しくは留め金式で着脱できる事で、2個の目的が違うゴルフグリップキャップを併用することで、ゴルフ競技にも使用出来、空気穴をセンターから外部に複数個設けることで、ゴルフグリップ交換も、通常通り出来る。【選択図】  図２
2020127618.tif 000002
【特許請求の範囲】
【請求項１】
グリップ部と、
前記グリップ部の先端に着脱固定可能に取り付けられる、蓋部と前記蓋部に接続された支持軸と、
を装備し、
前記支持軸の一端側に磁石を収納する、磁石収納器部と前記蓋部は着脱式ではあるが、前記支持軸を介して繋がれおり、前記支持軸にはリング式衝撃機が通っており、前記磁石収納器部に収納された磁石と、前記磁石に繋がれた金属製円柱錘と、
を装備し、
前記指示時軸は確定的でないが、ネジ方式で前記蓋部に固定される事により、着脱可能機能により長さ調整が可能になると共に、前記リング衝撃機の装備も可能であること、
前記支持軸に前記リング式衝撃機を通すことにより、前記磁石収納器部に繋がれた前記金属製円柱錘が、リング式衝撃機の衝撃で加速しながらクラブヘッド方向に移動が可能であること、
前記支持軸の一端側に前記磁石収納器部と、前記磁石収納器部に繋がれた金属製円柱錘が、ゴルフクラブシャフト内で中空に浮いている状態が出来ることが可能であること、
を特徴とするスイングウエイト付グリップ構造体。    
【請求項２】
請求項１に記載のスイングウエイトグリップ構造体を具備するゴルフクラブ。
【発明の詳細な説明】
【技術分野】
【０００１】
本発明は、ウエイトを取り付け、ウエイトの移動が可能なゴルフクラブ等のグリップ構造体に関するものであり、特にスイング時ウエイトの離脱及び移動に特徴を有するものである。
【背景技術】
【０００２】
本発明は、ゴルフクラブシャフト内の空洞が利用されていない事に着目した。
【０００３】
スイングウエイト調整用の錘の脱落を確実に防止でき、錘の着脱や交換を容易に行えるととともに、シャフト側に重心を偏らせ、重心位置を安定させる事が可能なゴルフクラブの事が、特許文献1で開示されている。
【０００４】
状況に応じて重心位置を適宜微調整することが可能なスイングウエイトの提供を目的とし、ゴルフグリップ端部から自由に着脱可能なゴルフグリップの事が、特許文献2で開示されている。
【０００５】
ゴルフ規則１a通則の中で、クラブは1本のシャフトと1個のヘッドから成り、ク    ラブのすべての部分はクラブが単一体となるように固定されていなければならず、外部付属物を一切有してはならない。ただし、クラブの性能に影響しない付属物に付いては、例外として認めることがあると、非特許文献１で開示されている。
【０００６】
本発明は、正式なゴルフ競技にも使用出来、プライベートでスコアメイクを楽しむ人達、両方の目的を成し遂げる事の出来るゴルフクラブ制作のための、ゴルフグリップ開発が役立つ事に着目した。
【先行技術文献】
【特許文献】
【０００７】
【特許文献１】特許第４５０７２６６号公報
【特許文献２】特開２０１１-２２９８２８号公報
【非特許文献】
【０００８】
【非特許文献１】公益財団法人  日本ゴルフ協会      ゴルフ規則
【発明の概要】
【発明が解決しようとする課題】
【０００９】
特許文献1のゴルフグリップの先端に着脱固定可能に取り付けられる、スイングウエイト調整用の錘を備えるウエイト部と、交換できるウエイト調整用錘が収められ、自由に錘を取り出し交換出来ると記載されているが、ウエイト調整用錘自体がゴルフグリップ及びシャフト内を移動できないと言う問題が残る。
【００１０】
特許文献２のゴルフグリップは、基本的にパター専用ゴルフグリップであり、ウッド及びアイアン用グリップとしては使用不可能であり、類似品でグリップエンドから脱着可能なウッド及びアイアン用グリップが存在するが、このグリップの場合ウエイトを貼り付けるだけで、錘を取り付けられないと言う問題が残る。
【００１１】
従来のゴルフグリップは、ゴルフグリップ自体に、飛距離アップ及びダウンスイングスピードアップでの加速力の機能が無いと言う課題を有している。
【００１２】
飛距離が出る高反発クラブ等の特殊クラブは、公式競技に使用出来ないと言う課題を有している。
【課題を解決するための手段】
【００１３】
上述した課題を解  決すべく、本発明は、
グリップ部と、
前記グリップ部の先端に着脱固定可能に取り付けられる、蓋部と前記蓋部に接続された支持軸と、
を装備し、
前記支持軸の一端側に磁石を収納する、磁石収納器部と前記蓋部は着脱式ではあるが、前記支持軸を介して繋がれおり、前記支持軸にはリング式衝撃機が通っており、前記磁石収納器部に収納された磁石と、前記磁石に繋がれた金属製円柱錘と、
を装備し、
前記指示時軸は確定的でないが、ネジ方式で前記蓋部に固定される事により、着脱可能機能により長さ調整が可能になると共に、前記リング衝撃機の装備も可能であること、
前記支持軸に前記リング式衝撃機を通すことにより、前記磁石収納器部に繋がれた前記金属製円柱錘が、リング式衝撃機の衝撃で加速しながらクラブヘッド方向に移動が可能であること、
前記支持軸の一端側に前記磁石収納器部と、前記磁石収納器部に繋がれた金属製円柱錘が、ゴルフクラブシャフト内で中空に浮いている状態が出来ることが可能であること、
を特徴とするスイングウエイト付グリップ構造体である。    
【００１４】
本発明に係るスイングウエイト付グリップ構造体を具備するゴルフクラブを特徴とする、請求項１記載のスイングウエイト付グリップ構造体を特徴とする点にある。
【発明の効果】
【００１５】
本発明のスイングウエイト付グリップ構造体には、数個の実施形態が存在することで、重心位置の移動が可能になり、ダウンスイング時の最終がヘッド側へ、円柱錘の移動により、飛距離アップ及びスイングスピードのアップが可能な、ゴルフクラブ等を提供できる。
具体的には、グリップ最上部にある蓋部が着脱式であり、蓋部に着脱可能な支持軸が留められ、支持軸をリング式衝撃機が自由に上下し、支持軸に着脱可能な磁石収納器留められ、磁石に円柱錘が中空状態で繋がれている。
【００１６】
支持軸には、数種類の長さが違うものを用意し、スイングスピードの違い、スイングフォームの違い、ゴルフクラブの長さ及び重さの違い、ゴルフシャフトの違い等に、対応出来、円柱錘をスムーズにゴルフクラブヘッド側への移動が出来る。
【００１７】
リング式衝撃機は中心部に、支持軸が通っており、蓋部と磁石収納器の間を上下することで、ダウンスイングに入った時最初の移動が、リング式衝撃機が磁石収納器上部に衝突した衝撃で、磁石収納器の磁石に繋がれ中空状態の円柱錘が、確実に磁石から故意且つ早急に離れる事が出来、ゴルフボールを捕らえる前に、ゴルフクラブヘッド側への移動が可能になる。    
【図面の簡単な説明】
【００１８】
【図１】一般的なアイアンゴルフクラブの部位及び支点、重心位置の説明図である。
【図２】ゴルフシャフトグリップ部の先端に着脱固定可能に取り付けられる、円柱形状のウエイト部と、限定的ではないが、ウエイト部にネジ方式で着脱固定可能な支持軸（短い）と、磁石収納器に固定されている磁石及び円柱錘が中空状態時の説明図である。
【図３】ゴルフシャフトグリップ部の先端に着脱固定可能に取り付けられる、円柱形状のウエイト部と、限定的ではないが、ウエイト部にネジ方式で着脱固定可能な支持軸（長い）と、磁石収納器に固定されている磁石及び円柱錘が中空状態時の説明図である。
【図４】ゴルフシャフトグリップ部の先端に着脱固定可能に取り付けられる、円錐形及び円柱形状のウエイト部と、限定的ではないが、ウエイト部にネジ方式で着脱固定可能な支持軸（長い）と、磁石収納器に固定されている磁石及び円柱錘がヘッド側先端部に移動状態時の説明図である。
【図５】ゴルフシャフトグリップ部の先端に着脱固定可能に取り付けられる、円柱形状のウエイト部と、限定的ではないが、ウエイト部にネジ方式で着脱固定可能な支持軸と、磁石収納器に固定されている磁石及び円柱錘が中空状態時の部分拡大説明図である。
【図６】（a）は、蓋部付グリップが装着されたドライバーを持ったプレイヤーが、アドレスを取った時の状態を正面から見た図であり、（b）は、この時の蓋部付グリップの断面詳細図である。
【図７】（a）は、プレイヤーがトップの姿勢となった時の状態を正面から見た図であり、(b)は、このときの蓋部付グリップの断面詳細図である。
【図８】(a)は、プレイヤーによるダウンスイング途中の状態を正面から見た図であり、(b)は、このときの蓋部付グリップ断面詳細図である。
【図９】(a)は、プレイヤーによるインパクトの状態を正面から見た図であり、(b)は、弧のときのヘッド断面詳細図である。
【発明を実施するための形態】
【００１９】
実施形態として、図５に示すように、グリップ1本体側に設けられた蓋部の接続部８がネジ式であるため、差込口に対して差込部をネジ込んだ状態において蓋部８に対してネジ式のため、差込部の口径の大きさが自由になり、蓋部８が徐々にネジ込まれ挿入されていく。
【００２０】
また、係合部が差込口に到達するまで蓋部８をネジ込むために、凹型ネジ溝を設け差込部にも凸型ネジ溝を設けることにより、蓋部８が徐々に挿入されていく、また、差し込み部を外す際には、前述した方法も後述した方法も共に、簡単には外れにくくするとともに、外すための器具の用意も必要と考える、前述の場合マイナスドライバーの様なものであり、後述の場合ゴルフシューズのスパイク交換に用いる様なものである、何故この様な形式にする理由として、スイングウエイトグリップ構造体のゴルフクラブで公式競技にも使用が可能となる。
【００２１】
実施形態として、図２及び図３に示すように、蓋部８先端に支持軸９をネジで留めるための凸型若しくは凹型ネジ溝を設け、また支持軸の一方にも凸型若しくは凹型ネジ溝により、容易に着脱することが可能である。  
【００２２】
実施形態として、図２及び図３及び図５及に示すように、支持軸の両端に凸型若しくは凹型のネジ溝を設け差込部に着脱可能にするとともに、支持軸９を固定する前に、支持軸９に自自軸の直径よりも一回り大きな直径の穴が空いた、厚みは限定していないが、又素材も限定していないが、リング状の重量が重いリング式衝撃機１０若しくは素材が強化ガラスで出来たリング式衝撃機１０を挿入しておくことで、リング状の重量が重いプラススティク素材のリング式衝撃機１０若しくは強化ガラス素材のリング式衝撃機１０の上下移動が可能になり、ヘッド側に設置している磁石収納器１２に衝突し衝撃が起こる。
【００２３】
実施形態として、図２及び図３及び図５及に示すように、長さの違う支持軸９が複数あり、年齢・スイングスピード・スイングフォーム・錘の重さ等、其々の条件に合わせた長さの違う支持軸９を取り付けることが可能になる。      
【００２４】
実施形態として、図４に示すように、支持軸ヘッド側に設置している磁石収納器に固定されている磁石１３があり、その磁石にゴルフシャフト最先端部内径より若干細い円柱錘１４を接続し、リング状の重量が重いプラススティク素材のリング式衝撃機１０若しくは強化ガラス素材のリング式衝撃機１０で生じた衝撃により、故意的に円柱錘が磁石から加速をつけながら、ゴルフシャフト最先端部のヘッド側ストッパー７に移動し、その衝撃がクラブヘッドに伝わる。  
【００２５】
本発明の最初に始める事は、磁石収納器１２に収まっている磁石１３に円柱錘１３が中空状態であることを確認し、スイングを開始する事が基本であり、円柱錘１３が最初から、ヘッド側に移動している場合、効果は激減する、又スイングもスムーズに出来ない。
【００２６】
本発明の基本的考え方として、慣性モーメントを以下に大きいものにするかを考えた時、円柱錘１３を中空状態からヘッド側ストッパー７へ、如何に早く加速をつけて移動させるかを考えた場合、リング式衝撃機１０を考案して故意的に、ゴルフボールに当たる前に円柱錘１３をヘッド側ストッパー７への移動が可能になった。
【００２７】
通常のゴルフクラブの場合、支点５・重心６の位置は殆ど変化しないが、本発明の場合、リング式衝撃機１０及び円柱錘が自由に移動することで、支点５・重心６の位置が、意図的に変える事が出来る。
【００２８】
練習用のクラブでは、本発明に近い商品も開発されているが、実戦では使用出来ない、又高反発クラブの場合実戦では使用出来るが、クラブ競技及び公式試合での使用は出来ないが、本発明の場合、着脱式構造であること、専用道具がなければ簡単に着脱できない事により、指示軸9を取り外し蓋部8だけにした場合、クラブ競技及び公式競技での使用が可能である。
【００２９】
本発明の実施の形態に係るスイングウエイト付グリップの構成は上述した通りである。以下、実際のゴルフスイングにおける本発明のスイングウエイト付グリップの作用と効果を説明する。
【００３０】
図６（ａ）は本発明の実施の形態に係るスイングウエイト付グリップ１が装着されたドライバー２０を持ったゴルファー２１がティーショットのアドレスを取った時の状態をゴルファー２１の正面から見た図である。
【００３１】
図６（ｂ）はこのときのスイングウエイト付グリップ１の断面詳細図である。鉄製の円柱錐１３は磁石１２にくっついてぶら下がった状態となっている。アドレスに入る前に、ゴルファー２１は、ヘッド２２がグリップ１の真上となる姿勢となるようにドライバー２１を操作する。これにより、円柱錐１３を重力によりゴルフシャフト２内を下方に滑り、磁石１２に当たった円柱錐１３は磁力により磁石１２にくっつく。
【００３２】
図６（ｂ）に示すように、アドレス時には、リング式衝撃機１０は支持軸９にガイドされ磁石１２側に移動しており、磁石１２に当接した状態となっている。この姿勢からゴルファー２１はテークバックに入る。
【００３３】
図６に示したアドレス時に、ウエイトの機能を有する円柱錐１３がグリップ１に位置するため、円柱錐１３の重量によるドライバー２０のグリップ１を回転中心とした慣性モーメントの増加は非常に小さい。そのため、アドレスからテークバックしてトップにいたるまで、ゴルファー２１には円柱錐１３の存在は感じられない。
【００３４】
図７（ａ）はゴルファー２１がトップの姿勢となったときの状態を示す図である。図７（ｂ）はこのときのスイングウエイト付グリップ１の断面詳細図である。
【００３５】
円柱錐１３は磁石１２にくっついたままである。重力によってリング式衝撃機１０はテークバック中に支持軸にガイドされ蓋部８側に移動している。トップでは、リング式衝撃機１０は蓋部８に接触した状態となっている。この姿勢からゴルファー２１はダウンスイングに入る。ドライバー２０の慣性モーメントはほとんど増加していないので、円柱錐１３の存在を感じることなく軽く切り返すことができる。
【００３６】
図８（ａ）はゴルファー２１によるダウンスイング途中の状態を示す図である。図８（ｂ）はこのときのスイングウエイト付グリップ１の断面詳細図である。
【００３７】
ダウンスイング中のグリップ１を先頭側として運動するドライバー２０の加速力、及びゴルファー２１を中心とする遠心力が加わり、グリップ１内のリング式衝撃機１０は、支持軸９にガイドされ高速で磁石１２側に移動し、磁石１２に激しく衝突する。この衝撃力により、グリップ内で同様に加速力と遠心力が加えられていた円柱錐１３は磁石１２から離れ、ゴルフシャフト２内をヘッド２２側に向け飛び出す。ここまで、ドライバー２０の慣性モーメントの増加は僅かであるので、円柱錐１３の存在によるヘッド２２のスピード加速の低下はほとんど生じない。
【００３８】
図９（ａ）はゴルファー２１によるインパクトの状態を示す図である。図９（ｂ）はこのときのヘッド２２の断面詳細図である。
【００３９】
高速でシャフト２内を飛んだ円柱錐１３は、シャフト２のヘッド側ストッパー７に衝突して停止している。この状態で、ヘッド２２のフェース２３がボール２４に衝突する。この時のヘッドの重量には円柱錐１３の重量が加わっている。しかし、これまで説明してきたように円柱錐１３が無い場合に比べ、ヘッドスピードはほとんど低下していない。
【００４０】
ヘッド２２の重量と速度を掛け合わせたものである運動量が増加すれば、インパクトによりボールに与えられるボール２４の初速度が増加する。すなわち、本発明のスイングウエイト付グリップ１を装着したドライバー２０を使ってティーショットすれば、ヘッドの運動量が増加するのでボールの飛距離を大きくすることができる。
【符号の説明】
【００４１】
１    グリップ
２    ゴルフシャフト
３    ソケット
４    アイアンヘッド
５    支点
６    重心
７    ヘッド側ストッパー
８    蓋部
９    支持軸
１０  リング式衝撃機
１１  磁石収納器
１２  磁石
１３  円柱錘
【図１】
2020127618.tif 000003
【図２】
2020127618.tif 000004
【図３】
2020127618.tif 000005
【図４】
2020127618.tif 000006
【図５】
2020127618.tif 000007
【図６】
2020127618.tif 000008
【図７】
2020127618.tif 000009
【図８】
2020127618.tif 000010
【図９】
2020127618.tif 000011